(57)【要約】【課題】遊技盤の機種変更に際し、遊技機本体側に大幅な改造を要することなく、遊技機の前面側のイメージを効果的に変更することのできる遊技機を提供する。【解決手段】遊技機本体と遊技盤４０とを備える。遊技機本体には、遊技盤４０が脱着可能に装着される。遊技盤４０には、前面側を表示部とする図柄表示装置４３が配置される。遊技盤４０には、図柄表示装置４３の表示部を透視可能な透視部６７及び該透視部６７の周辺部に装飾を施した装飾部６９を有する装飾カバー６０が設けられる。遊技機本体には、装飾カバー６０の透視部６７及び装飾部６９を透視可能な前面カバー１２が設けられる。遊技盤４０の機種変更に際しては、装飾カバー６０を設けた遊技盤４０を遊技機本体に対して脱着によって交換する。【選択図】　　　図１
2004121547.tif 000002
【特許請求の範囲】
【請求項１】
遊技機本体と遊技盤とを備え、
前記遊技機本体には、前記遊技盤が脱着可能に装着され、
前記遊技盤には、前面側を表示部とする図柄表示装置が配置され、
前記遊技盤には、前記図柄表示装置の表示部を透視可能な透視部及び該透視部の周辺部に装飾を施した装飾部を有する装飾カバーが設けられ、
前記遊技機本体には、前記装飾カバーの透視部及び装飾部を透視可能な前面カバーが設けられていることを特徴とする遊技機。
【請求項２】
請求項１に記載の遊技機であって、前記装飾カバーの装飾部が該装飾部の裏側からの光によって発光する発光装飾部であることを特徴とする遊技機。
【請求項３】
請求項１又は２に記載の遊技機であって、前記遊技盤には前記図柄表示装置が後ろ側から装着されかつ前記装飾カバーが前側から装着されていることを特徴とする遊技機。
【請求項４】
請求項１〜３のいずれか１つに記載の遊技機であって、前記遊技盤に対して前記装飾カバーが脱着可能又は開閉可能に取付けられていることを特徴とする遊技機。
【発明の詳細な説明】
【０００１】
【発明の属する技術分野】
本発明は、例えば、パチンコ機、スロットマシン、パチンコ球を使用してスロットマシンと同様の遊技を行う遊技機（パロット機とも呼ばれる）等の遊技機に関する。
【０００２】
【従来の技術】
従来、例えば、パチンコ球を使用してスロットマシンと同様の遊技を行う遊技機がある（例えば、特許文献１参照）。このような遊技機は、ドラムボックス内の可変表示ドラムの回転によって行われる可変表示ゲームに所定球数の球を一単位として賭け、その可変表示ゲーム結果に応じて賞球を払い出す形式のもので、前記ドラムボックスの前面側が透明な前カバーで覆われている。ドラムボックスは遊技機本体に脱着可能に装着され、遊技機本体には前記前カバーを介して前記ドラムボックスの前面側を透視可能とする前面カバーが設けられている。
【０００３】
【特許文献１】
特開平５−３９５５号公報（第１−２頁、図２、図４３参照）
【０００４】
【発明が解決しようとする課題】
ところで、遊技ホールにおいて、前記特許文献１のドラムボックスを機種変更する場合、その機種変更だけでは遊技機の前面側の見た目のイメージを大幅に変更することが難しいため、遊技機本体の前面カバーを含む前枠も併せて変更することが行なわれる。しかし、前枠は遊技機本体側に一体的に取付けられているため、前枠を変更するには遊技機本体側に大幅な改造が必要であった。また、前記特許文献１の前面カバー及び前カバーは単にドラムボックスの表示部を透視するだけのものであり、また、ドラムボックスの前カバーには何ら装飾が施されていないことから、仮にドラムボックスのみを機種変更しても見た目がほとんど変わらず、遊技機の前面側のイメージを効果的に変更することができない。
【０００５】
そこで、本発明の目的は、遊技盤の機種変更に際し、遊技機本体側に大幅な改造を要することなく、遊技機の前面側のイメージを効果的に変更することのできる遊技機を提供することである。
【０００６】
【課題を解決するための手段】
前記本発明が解決しようとする課題は、特許請求の範囲の欄に記載された構成を要旨とする遊技機により解決することができる。すなわち、特許請求の範囲の請求項１に記載された遊技機によると、遊技機本体の前面カバーを透して遊技盤の装飾カバーの透視部及び装飾部を透視することができる。これにより、遊技盤の図柄表示装置の表示部を透視することができるとともに、装飾カバーの装飾部を前面カバーの装飾の一部として透視することができる。また、遊技盤の機種変更に際しては、装飾カバーを設けた遊技盤を遊技機本体に対して脱着によって交換する。これによって、前記と同様、機種変更された遊技盤の図柄表示装置の表示部を透視することができるとともに、装飾カバーの装飾部を前面カバーの装飾の一部として透視することができる。このため、遊技盤の機種変更に際し、遊技機本体側の前面カバーを変更するといった大幅な改造を要することなく、あたかも該前面カバーを変更したかのように遊技機の前面側のイメージを効果的に変更することができる。
【０００７】
また、特許請求の範囲の請求項２に記載された遊技機によると、装飾カバーの装飾部が該装飾部の裏側からの光によって発光する発光装飾部であるので、遊技機の前面側の装飾性を高めることができる。
【０００８】
また、特許請求の範囲の請求項３に記載された遊技機によると、遊技盤の後ろ側から図柄表示装置が装着されかつ前側から装飾カバーが装着されるので、遊技盤に対し図柄表示装置と装飾カバーを順不同で装着することができる。したがって、遊技盤に対し図柄表示装置及び装飾カバーを同方向から所定の順序で装着する場合に比べて、生産にかかるリードタイムを短縮することができる。
【０００９】
また、特許請求の範囲の請求項４に記載された遊技機によると、遊技盤に対して装飾カバーを取外すか又は開放することによって、カバー内部を容易に開放することができる。したがって、カバー内部の図柄表示装置等のメンテナンスを容易に行なうことができる。
【００１０】
【発明の実施の形態】
［実施の形態１］
本発明の実施の形態１を図面にしたがって説明する。本実施の形態では、パチンコ球（単に、球という）を使用してスロットマシンと同様の遊技のような遊技を行う遊技機について例示する。なお、説明の便宜上、遊技機に対する遊技者側を前側、反対側を後側とする。
【００１１】
遊技機１の概要から説明する。図１に示すように、遊技機１の外枠３は、ほぼ方形枠状に形成されている。外枠３の前面側の下端部には、前枠６（後述する）の下端面を受ける受け板４が設けられている。外枠３の前側には、その片側すなわち左側に配設された前枠ヒンジ装置５を介して、ほぼ方形枠状の前枠６が回動により開閉可能に装着されている。前枠６の自由端側すなわち右側は、外枠３に対し施錠装置７（図３参照）により閉じた状態に施錠されている。また、前枠６の前側には、その片側すなわち左側に配設された扉ヒンジ装置８を介して、ほぼ方形状の開閉扉１０が回動により開閉可能に装着されている。開閉扉１０は、ほぼ方形枠状に形成された扉枠体１１と、該扉枠体１１の枠内を塞ぐように装着された透明ガラス板、透明樹脂板等の前面カバー１２を備えている。なお、開閉扉１０の自由端側すなわち右側は、前記施錠装置７（図３参照）によって前枠６に対して閉じた状態に施錠されるものとする。また、開閉扉１０の下端部には、操作板１３が配設されている。操作板１３には、作動部材１４、第１のストップボタン１６、第２のストップボタン１７、第３のストップボタン１８が操作可能に配設されている。
【００１２】
図１に示すように、前記前枠６の前側の下部には、上皿２０及び下皿２１が装着されている（図２参照）。上皿２０内には、球払出装置３１（後述する）により払い出された貸球及び賞球が保留される。前記作動部材１４の操作に基づいて作動される球送り装置（図示省略）により所定数の球（例えば、５個〜１５個）が上皿２０から所定部位へ送り出され、これによってスロットマシンと同様の遊技が行なえるようになっている。また、下皿２１内には、上皿２０からオバーフローした球が貯留される。
【００１３】
図２に示すように、前記前枠６の後側（図２において左側）には、ほぼ方形枠状に形成された装着枠２３が固定手段（図示省略）により脱着可能に装着されている。装着枠２３の枠内には、その後方（図２において左方）から遊技盤４０が着脱可能に嵌込まれている。遊技盤４０は、ほぼ四角板状に形成された遊技盤本体４１と、該遊技盤本体４１に装着された図柄表示装置４３とを備えている。遊技盤本体４１は、装着枠２３に対し機構盤２６（後述する）により固定されている。また、図柄表示装置４３は、図５に示すように、前面側を表示部として左右方向に並ぶ第１〜第３の計３つの回転体４４，４５，４６を備えている。各回転体４４，４５，４６は、例えば無端状の回転ベルト、回転リール、回転ドラム等からなる。図１に示すように、第１〜第３の回転体４４，４５，４６は、前記各ストップボタン１６，１７，１８に対応している。各回転体４４，４５，４６は、前記作動部材１４を操作することによってそれぞれ回転し、各ストップボタン１６，１７，１８を押すことにより停止される。そして、各回転体４４，４５，４６にそれぞれ個別に表示された図柄による図柄列が所定の当たり図柄列となったときに、所定数の賞球が前記上皿２０内に払い出される。
【００１４】
図５に示すように、前記遊技盤本体４１の前面側の下端部には、前面側を表示部とするクレジット用表示器４７、ゲームカウント用表示器４８、払出用表示器４９等が配設されている。また、前記遊技盤４０の右肩部には、液晶表示器５０が脱着可能に装着されている。また、遊技盤本体４１の前面側には、左右の発光装置５２が前記図柄表示装置４３を間にして配置されている。発光装置５２は、前面側を開口するほぼ縦長四角箱状をなす発光体ケース５３と、該発光体ケース５３内に対し縦方向に所定間隔で所定個数（例えば、５個）配設された発光体５４とを備えている。発光体ケース５３には、各発光体５４を個別に仕切る仕切り板５３ａが設けられている。また、発光体５４には、例えばランプ、ＬＥＤ、蛍光管等が採用される。発光体５４は、ランプ制御基板を含む制御手段（図示省略）により、遊技状況に関連して点灯及び／又は点滅される。発光体５４が発する光は、前方へ向けて放射され、装飾カバー６０（後述する）の発光装飾部６９を発光させる。
【００１５】
図２に示すように、前記遊技盤本体４１の後側には、前記図柄表示装置４３を覆う裏カバー体５６が配設されている。裏カバー体５６の後面側には、副基板ボックス５７と主基板ボックス５８が上下に並んで配設されている。副基板ボックス５７内には、遊技機の所定位置に配設されたスピーカ等を作動制御するための音声制御基板や、前記発光体５４（図５参照）及びその他のランプ、ＬＥＤ等の発光体（図示省略）を点滅制御するためのランプ制御基板等（図示省略）が収納されている。また、主基板ボックス５８内には、遊技機の遊技の制御を行うための主制御基板（図示省略）が収納されている。
【００１６】
図３に示すように、前記装着枠２３の後側（図３において紙面表方）には、その片側（図３において右側）に配置された機構盤ヒンジ装置２５を介して、ほぼ方形枠状の機構盤２６が回動により開閉可能に装着されている。機構盤２６の自由端側（図３において左側）は、装着枠２３に対し閉止具２７によって閉じた状態に保持される。図２に示すように、機構盤２６の枠内からは、前記遊技盤４０の図柄表示装置４３の後部、裏カバー体５６、主基板ボックス５８及び副基板ボックス５７が突出されている。また、機構盤２６は、装着枠２３の枠内の周縁部に対し遊技盤４０の遊技盤本体４１の周縁部を押圧することによって固定する。なお、機構盤２６には、図示しないが、球を排出する球通路、球を前記上皿２０へ払い出す通路、オーバーフローした球を前記下皿２１へ誘導する球通路が設けられている。
【００１７】
図３に示すように、前記機構盤２６の後側（図３において紙面表方）には、球を貯留する球タンク２９、その球タンク２９から流下する球を誘導するタンクレール３０、そのタンクレール３０から流下する球を賞球数あるいは貸球数に応じて払い出す球払出装置３１、払出用制御基板（図示省略）を収納した第１の基板ボックス３２、電源基板（図示省略）を収納した第２の基板ボックス３３等が装着されている。球払出装置３１は、タンクレール３０から流下する球を、貸球及び賞球の球数に応じて前記上皿２０（図２参照）へ払い出す他、必要に応じて機外へ排出する。また、球払出装置３１の駆動モータ（図示省略）は、前記第１の基板ボックス３２内の払出制御基板（図示省略）を含む制御手段により制御される。なお、遊技機１のうち遊技盤４０を除いた部分（外枠３、前枠６、機構盤２６等）は、本明細書でいう「遊技機本体」を構成している。
【００１８】
引き続いて、上記した遊技機１の要部の構成について詳述する。図４に示すように、前記遊技盤４０の遊技盤本体４１の前面側には、前記図柄表示装置４３の表示部及び左右の発光装置５２を覆う樹脂製の装飾カバー６０が設けられている。装飾カバー６０は、ほぼ四角形状をなす前板部６１と、その前板部６１の上下左右を取り囲む上側板部６２、下側板部６３（図２参照）、左側板部（図示省略）及び右側板部６５を有している。図５に示すように、前板部６１には、図柄表示装置４３の表示部に対応するほぼ四角状の開口窓６６が形成されており、その開口窓６６内が透視部６７となっている。また、前板部６１には、前記発光装置５２の前面側に対応するほぼ四角状の発光装飾部６９が一体形成されている。発光装飾部６９は、その裏方に位置する発光装置５２の発光体５４からの光を前方に拡散して発光させる半透明、透明等のレンズ状に形成されている。発光装飾部６９の前面側には、レリーフ調の装飾を施すことができる。なお、発光装飾部６９は、本明細書でいう「装飾部」に相当する。
【００１９】
また、前記前板部６１には、前記各表示器４７，４８，４９の表示部にそれぞれ対応する透明の表示器用透視部７０，７１，７２が一体形成されている。また、前板部６１の発光装飾部６９及び表示器用透視部７０，７１，７２以外の部位は、装飾カバー６０内をぼかした半透明又は装飾カバー６０内を透視不能とする不透明な遮蔽部となっている。また、前記した上側板部６２、下側板部６３（図２参照）、左側板部（図示省略）及び右側板部６５においても、前記前板部６１の遮蔽部と同様、半透明又は不透明な遮蔽部となっている。遮蔽部の前面側には、レリーフ調の装飾を施すことができる。また、図１に示すように、前記開閉扉１０の前面カバー１２は、装飾カバー６０の前板部６１を全面的に透視可能に形成されている。
【００２０】
前記装飾カバー６０は、図６に示すように、前記図柄表示装置４３が後ろ側から装着された前記遊技盤４０の遊技盤本体４１に対して、次に述べるようにして前側から装着されるようになっている。すなわち、図５に示すように、前記装飾カバー６０の左右の側板部（図５では右側板部６５のみを示す）には、ほぼ長四角板状をなす上下一対の係止片７５が一体形成されている。図７に示すように、係止片７５は、右側板部６５の側面に対し後半部が右側板部６５の後端面６５ａより後方へ突出する状態で一体形成されている。係止片７５は、図７に二点鎖線７５（１）で示すように、弾性変形いわゆる撓み変更可能に形成されている。係止片７５の先端部には、断面三角形状の係止爪７６が形成されている。係止爪７６には、右側板部６５の後端面６５ａと対面する係止面７６ａと、その係止面７６ａの先端部から係止爪７６の先端部に向かって傾斜する案内面７６ｂが形成されている。また、前記遊技盤本体４１の左右の側縁部における後側隅角部には、各係止爪７６に対応する段付溝状の係止溝４２が形成されている（図５参照）。
【００２１】
上記した装飾カバー６０を前記遊技盤４０の遊技盤本体４１に装着する場合を説明する。装飾カバー６０を図５に示す状態から遊技盤本体４１にその前方から押し付ける。すると、係止片７５の係止爪７６の案内面７６ｂが遊技盤本体４１の前側隅角部４１ａ（図７参照）に当接しかつ摺動していくことで、該係止片７５が外方へ撓み変形される（図７中、二点鎖線７５（１）参照）。そして、係止片７５の係止爪７６が遊技盤本体４１の側面上を摺動していき、該遊技盤本体４１の係止溝４２と対応したところで係止片７５が弾性復元する（図７中、二点鎖線７５（２）参照）。このとき、遊技盤本体４１の前面に装飾カバー６０の各側板部の後端面が面接触する。このようにして、全ての係止片７５の係止爪７６が遊技盤本体４１の各係止溝４２にそれぞれ係合し、該遊技盤本体４１に対する装飾カバー６０の取付けが完了する（図４参照）。なお、各係止溝４２の係止面７６ａと係止溝４２の前側溝壁面４２ａとの当接によって、遊技盤本体４１に対し装飾カバー６０が抜け止めされる。また、各係止溝４２の上下の両溝壁面（図示省略）により係止片７５の係止爪７６の上下動が規制され、ひいては装飾カバー６０の上下動が規制される。
【００２２】
上記した装飾カバー６０が取付けられた遊技盤４０（図４参照）を装備した遊技機１（図１参照）によると、前枠６及び開閉扉１０を閉じた状態において、開閉扉１０の前面カバー１２を透して、遊技盤４０（図４参照）の装飾カバー６０の透視部６７、各表示器用透視部７０，７１，７２及び発光装飾部６９を透視することができる。これにより、遊技盤４０における図柄表示装置４３の表示部及び各表示器４７，４８，４９の表示部を透視することができるとともに、装飾カバー６０の装飾部６９を前面カバー１２の装飾の一部として透視することができる。
【００２３】
また、装飾カバー６０に設けた遮蔽部（前板部６１の発光装飾部６９及び表示器用透視部７０，７１，７２以外部分、各側板部６２，６３，６５等）によって、カバー内への視野を遮ることができる（図４参照）。したがって、装飾カバー６０の遮蔽部によって、遊技機１の前面側の美観を損ねる部分を目隠しすることによって、遊技機１の前面側の装飾性を高めることができる。
【００２４】
また、遊技盤４０の機種変更に際しては、装飾カバー６０を設けた遊技盤４０を遊技機本体側（詳しくは、装着枠２３）に対して脱着によって交換する。これによって、前記と同様、機種変更された遊技盤４０の図柄表示装置４３の表示部及び各表示器４７，４８，４９の表示部を透視することができるとともに、装飾カバー６０の装飾部６９を前面カバー１２の装飾の一部として透視することができる。このため、遊技盤４０の機種変更に際し、遊技機本体側の開閉扉１０の前面カバー１２を変更するといった大幅な改造を要することなく、あたかも該前面カバー１２を変更したかのように遊技機１の前面側のイメージを効果的に変更することができる。
【００２５】
また、装飾カバー６０の装飾部が該装飾部６９の裏側の発光装置５２（図４参照）からの光によって発光する発光装飾部６９であるので、遊技機１の前面側の装飾性を高めることができる。
【００２６】
また、遊技盤４０の後ろ側から図柄表示装置４３が装着されかつ前側から装飾カバー６０が装着される（図６参照）。このため、遊技盤４０に対し図柄表示装置４３と装飾カバー６０を順不同で装着することができる。したがって、遊技盤４０に対し図柄表示装置４３及び装飾カバー６０を同方向から所定の順序で装着する場合に比べて、生産にかかるリードタイムを短縮することができる。
【００２７】
また、遊技盤４０に対して装飾カバー６０を次のように取外すことができる。すなわち、係止片７５を撓み変形（図７中、二点鎖線７５（１）参照）させることにより、遊技盤本体４１の係止溝４２に対する係止爪７６の係合を解除した状態で、遊技盤本体４１に対し装飾カバー６０を前方へ分離させて取外すことができる（図５参照）。したがって、装飾カバー６０を取外すことによって、カバー内部を容易に開放することができる。したがって、カバー内部の図柄表示装置４３、各表示器４７，４８，４９、発光装置５２等のメンテナンスを容易に行なうことができる。また、装飾カバー６０は、図柄表示装置４３を間に配置した左右の発光装置５２を同時に開放することができる。
【００２８】
また、図８に示すように、例えば、装飾カバー６０で覆われる図柄表示装置４３の部分に対し、押しボタン８１を有するスイッチ類８０が設けられる場合がある。このような場合には、前面カバー１２に貫通孔１２ａを設け、その貫通孔１２ａに操作部材８３を軸方向に所定の移動量をもって移動可能に組付ける。操作部材８３は、押しボタン８１に対応して前面カバー１２の前側に配置される操作板部８４と、その操作板部８４にネジ手段、接着、溶着等の結合手段（図示省略）によって結合されかつ前面カバー１２の後側に配置されるフランジ８５ａを有する操作軸部８５とからなる。装飾カバー６０の前板部６１には、押しボタン８１に対応しかつ操作軸部８５を挿通可能な挿通孔６１ａが形成されている。そして、前枠６を閉じた時（図１参照）に、図８に示すように、操作軸部８５が装飾カバー６０の挿通孔６１ａ内に挿入され、押しボタン８１の前端面に当接する。この状態で、操作板部８４を押すことにより（図８中、実線８４参照）、操作軸部８５を介して押しボタン８１がスイッチ類８０に内蔵されたバネに抗して押し込まれ、スイッチ類８０の操作がなされる。また、操作板部８４の押し込み力を開放すれば、スイッチ類８０に内蔵のバネによって、押しボタン８１が押し出されることにより（図８中、二点鎖線８１参照）、操作部材８３が前方へ押し出される（図８中、二点鎖線８３参照）。このとき、操作軸部８５のフランジ８５ａが前面カバー１２の貫通孔１２ａの口縁部に当接する（図８中、二点鎖線８５ａ参照）。また、前枠６を開けば、前面カバー１２と共に操作部材８３が装飾カバー６０の挿通孔６１ａから抜け出る。したがって、遊技盤４０の装飾カバー６０内にスイッチ類８０の押しボタン８１が設けられる場合でも、上記した簡単な構成により、前面カバー１２の前面側から押しボタン８１を操作することができる。
【００２９】
［実施の形態２］
本発明の実施の形態２を説明する。実施の形態２は、上記した実施の形態１の一部に変更を加えたものであるからその変更部分について詳述し、重複する説明は省略する。すなわち、遊技盤本体４１に対する装飾カバー６０の取付構造を変更したもので、図９に示すように、遊技盤本体４１に対し装飾カバー６０の一側部、例えば右側部がヒンジ装置８８を介して回動により開閉可能にしたものである。なお、遊技盤本体４１に対する装飾カバー６０の他側部、例えば左側部は、前記実施の形態１と同様の係止片７５と係合溝（図示省略）とによる係合手段によって係脱可能になっている。
【００３０】
したがって、実施の形態２によっても、上記実施の形態１とほぼ同等の作用効果が得られる。また、遊技盤４０に対して装飾カバー６０を次のように開放することができる。すなわち、係止片７５を撓み変形させて、遊技盤本体４１の係止溝（図示省略）に対する係止爪７６の係合を解除した状態で、遊技盤本体４１に対し装飾カバー６０を前方へ回動させて開放する（図９中、二点鎖線６０参照）。このようして、カバー内部を容易に開放することができる。したがって、上記実施の形態１と同様に、カバー内部の図柄表示装置４３、各表示器４７，４８，４９、発光装置５２等のメンテナンスを容易に行なうことができる。また、装飾カバー６０を閉止する時は、装飾カバー６０を閉止させ、前記係合手段の係止片７５と係合溝（図示省略）とをその係止片７５の撓み変形を利用して係合させればよい。なお、係合手段は、ネジ止め手段、クリップ手段に代えることができる。
【００３１】
本発明は前記実施の形態に限定されるものではなく、本発明の要旨を逸脱しない範囲における変更が可能である。例えば、本発明は、上記した実施の形態のパチンコ球を使用してスロットマシンと同様の遊技を行う遊技機１に限らず、パチンコ機、スロットマシン等の遊技機にも同様に実施することができる。また、遊技盤４０に設けられた各表示器４７，４８，４９は、開閉扉１１に配置することができる。また、遊技盤本体４１に装飾カバー６０をネジ止め手段、クリップ手段により脱着可能に設けることもできる。また、遊技盤４０から取外す必要がない装飾カバー６０は、遊技盤本体４１に接着等により取外し不能に設けることができる。また、発光装置５２は、図柄表示装置４３を間に上下に配置してもよいしあるいは発光装置５２は省略してもよい。また、発光装置５２及び／又は発光体５４の個数は適宜増減することができる。
【００３２】
【発明の効果】
以上述べたように、本発明の遊技機によれば、遊技盤の機種変更に際し、遊技機本体側の前面カバーを変更するといった大幅な改造を要することなく、あたかも該前面カバーを変更したかのように遊技機の前面側のイメージを効果的に変更することができる。
【図面の簡単な説明】
【図１】本発明の実施の形態１に係る遊技機を示す正面図である。
【図２】図１のＩＩ−ＩＩ線矢視断面図である。
【図３】遊技機を示す背面図である。
【図４】遊技盤を示す斜視図である。
【図５】装飾カバーを取外した遊技盤を示す斜視図である。
【図６】遊技盤に対する図柄表示装置及び装飾カバーの装着関係を示す説明図である。
【図７】遊技盤本体に対する装飾カバーの取付部分を示す断面図である。
【図８】遊技盤にスイッチ類が配置される場合の操作部を示す断面図である。
【図９】本発明の実施の形態２に係る遊技盤を示す斜視図である。
【符号の説明】
１　遊技機
１２　前面カバー
４０　遊技盤
４３　図柄表示装置
６０　装飾カバー
６７　透視部
６９　発光装飾部（装飾部）
【図１】
2004121547.tif 000003
【図２】
2004121547.tif 000004
【図３】
2004121547.tif 000005
【図４】
2004121547.tif 000006
【図５】
2004121547.tif 000007
【図６】
2004121547.tif 000008
【図７】
2004121547.tif 000009
【図８】
2004121547.tif 000010
【図９】
2004121547.tif 000011